(57)【要約】【課題】  包装梱包箱本体の蓋部を簡便に閉じて封することができ、内部に不純物が紛れ込むのを防止でき、煩雑な不純物混入検査等を必要としない包装梱包箱を提供する。【解決手段】  蓋部として、上記開口部の開口縁部に、内方へ折り曲げ可能な内方蓋片部と、上記内方蓋片部に対向して設けられ、上記内方蓋片部の外方に折り重ねて配置しうる外方蓋片部とが設けられると共に、上記開口縁部の上記内方蓋片部と外方蓋片部との間には、内方へ折り込み可能な折込蓋片部が一対に互いに対向して設けられ、上記外方蓋片部には上記内方蓋片部の外方側に折り重ねられた場合には、上記内方蓋片部に係止することにより上記内方蓋片部と上記外方蓋片部とを固定しうるロック片部が設けられている。【選択図】  図１
0003131342.tif 000002
【実用新案登録請求の範囲】
【請求項１】
包装梱包箱本体の内部に収納物を収納して開口部を蓋部により閉じて封止する包装梱包箱であって、
上記蓋部として、上記開口部の開口縁部に、内方へ折り曲げ可能な内方蓋片部と、上記内方蓋片部に対向して設けられ、上記内方蓋片部の外方に折り重ねて配置しうる外方蓋片部とが設けられると共に、
上記開口縁部の上記内方蓋片部と外方蓋片部との間には、内方へ折り込み可能な折込蓋片部が一対に互いに対向して設けられ、
上記外方蓋片部には上記内方蓋片部の外方側に折り重ねられた場合には、上記内方蓋片部に係止することにより上記内方蓋片部と上記外方蓋片部とを固定しうるロック片部が設けられていることを特徴とする包装梱包箱。
【請求項２】
上記包装梱包箱本体は直方体に形成され、上面部、底面部及び側面部を有し、上記内方蓋片部と上記外方蓋片部は夫々上記上面部と上記底面部に形成される開口部の端部に幅方向に沿って連設され、
上記内方蓋片部の基端部にはスリット部が設けられると共に上記外方蓋片部には上記スリット部に差し込み可能な連結片部が設けられ、
上記ロック片部は、上記連結片部の両端に折曲線を介し折り曲げた状態で上記スリット部に挿入可能に形成されると共に、上記スリット部に挿入した際には折り曲げ前の状態に復元して上記スリット部の両端縁部に係合しうるように形成されていることを特徴とする請求項１記載の包装梱包箱。
【請求項３】
上記折込蓋片部は、一方端部が上記外方蓋片部と内方蓋片部とが設けられている側面部以外の互いに対向する一対の側面部の端部に連設されると共に、他方端部が上記外方蓋片部の幅方向の両端部に連設され、
上記折込蓋片部には、上記外方蓋片部が上記内方蓋片部の外方側に折り重ねられた場合には、上記内方蓋片部の内方に配置されると共に上記内方蓋片部と係合しうるように折りたたまれうる折曲線が設けられていることを特徴とする請求項２記載の包装梱包箱。
【請求項４】
上記内方蓋片部は、上記折込蓋片部が折りたたまれた場合に、上記折込蓋片部と外方蓋片部との間に形成される間隙部に挿入配置された状態で上記開口部を封止することを特徴とする請求項３記載の包装梱包箱。
【請求項５】
上記内方蓋片部は、上記包装梱包箱本体の厚さ寸法よりも僅かに短い幅寸法に形成されると共に、上記包装梱包箱本体の幅寸法よりも僅かに短い長さ寸法に形成されると共に、上記外方蓋片部は上記包装梱包箱本体の厚さ寸法と略同一の幅寸法に形成されると共に、上記包装梱包箱本体の幅寸法と同一の長さ寸法に形成され、
上記折込蓋片部は、上記折曲線を介して包装梱包箱内方へ折りたたまれるように構成されていることを特徴とする請求項４記載の包装梱包箱。
【請求項６】
上記内方蓋片部、外方蓋片部及び折込蓋片部は、包装梱包箱本体の長さ方向両端部に形成される二つの開口部に夫々設けられていることを特徴とする請求項１〜５のいずれか1項に記載の包装梱包箱。
【請求項７】
上記包装梱包箱本体は、内部に食品が収納されることを特徴とする請求項１〜６のいずれか１項に記載の包装梱包箱。
【考案の詳細な説明】
【技術分野】
【０００１】
本考案は包装梱包箱に係り、特に、収納物を収納した後で開口部を簡便に閉じて封することができ、異物が内部に紛れ込むことを防止できる包装梱包箱に関する。
【背景技術】
【０００２】
例えば、レトルト食品等を収納するための包装梱包箱は、紙で箱状に形成され、中身を収納するための開口部が蓋部と共に設けられており、中身を収納した後で上記開口部が蓋部により閉じられるように構成されている。
【０００３】
特に、食品を収納する包装梱包箱の場合は、安全性の観点から、開口部を封止後する際に食品以外の異物が内部に残らないようにする必要があると共に、食品が内部に収納されて封止され、商品として流通する場合に、取引流通過程において、封止した開口部が開放されて内部に毒物等が入れられることのないように、蓋部を確実に閉じて封止することが必要となる。
【０００４】
従来、上記包装梱包箱の蓋部を閉じる場合は、糊や両面接着テープを使用して蓋部を固定することが多かった。
【０００５】
しかしながら、糊を使用する場合は、糊付け作業が煩雑であるという不具合があり、又、糊の量が誤って過多になると糊が食み出して、外観品質上好ましくないという不具合があった。
【０００６】
また、両面接着テープを使用する場合は、剥がした剥離紙が誤って包装梱包箱本体の内部に紛れ込んでしまう可能性がある。したがって、両面接着テープを使用して固定した場合には、上記剥離紙が包装梱包箱の内部に残存しているか、否かを、後で全製品に関してチェックしなければならず、製造個数の大量さを考慮した場合、非常に大きな負担となる、という不具合が存していた。
【考案の開示】
【考案が解決しようとする課題】
【０００７】
そこで本考案の課題は、包装梱包箱の開口部を簡便に封止することができると共に、内容物を収納して封止した後における、第三者による開封の事態を有効に防止し、さらに、煩雑な異物混入検査等を回避しうる包装梱包箱を提供することにある。  
【課題を解決するための手段】
【０００８】
上記課題を解決するために、本考案に係る包装梱包箱は、包装梱包箱本体の内部に収納物を収納して開口部を蓋部により閉じて封止する包装梱包箱であって、上記蓋部として、上記開口部の開口縁部に、内方へ折り曲げ可能な内方蓋片部と、上記内方蓋片部に対向して設けられ、上記内方蓋片部の外方に折り重ねて配置しうる外方蓋片部とが設けられると共に、上記開口縁部の上記内方蓋片部と外方蓋片部との間には、内方へ折り込み可能な折込蓋片部が一対に互いに対向して設けられ、上記外方蓋片部には上記内方蓋片部の外方側に折り重ねられた場合には、上記内方蓋片部に係止することにより上記内方蓋片部と上記外方蓋片部とを固定しうるロック片部が設けられていることを特徴とする。
【０００９】
すなわち、本考案に係る上記包装梱包箱は、包装梱包箱本体に設けられた開口部を閉じる蓋部が三つの蓋片部、つまり、上記内方蓋片部、外方蓋片部及び折込蓋片部により構成され、上記蓋部を多重構造とすることにより、確実に密閉できるようにしている。
また、上記内方蓋片部と外方蓋片部とが確実に固定されて、封止状態が安易に解消されないように、上記内方蓋片部と上記外方蓋片部は上記ロック片部によりロックされるように構成されている。
【００１０】
また、本考案に係る上記包装梱包箱にあっては、上記包装梱包箱本体は直方体に形成され、上面部、底面部及び側面部を有し、上記内方蓋片部と上記外方蓋片部は夫々上記上面部と上記底面部に形成される開口部の端部に幅方向に沿って連設され、上記内方蓋片部の基端部にはスリット部が設けられると共に上記外方蓋片部には上記スリット部に差し込み可能な連結片部が設けられ、上記ロック片部は、上記連結片部の両端に折曲線を介し折り曲げた状態で上記スリット部に挿入可能に形成されると共に、上記スリット部に挿入した際には折り曲げ前の状態に復元して上記スリット部の両端縁部に係合しうるように形成されていることを特徴とする。
【００１１】
すなわち、本考案に係る上記包装梱包箱は、上記内方蓋片部と上記外方蓋片部とを固定する手段として、上記スリット部、連結片部及びロック片部とが設けられている。
また、上記ロック片部を上記スリット部に容易に挿入してロックしうるように、上記ロック片部は折り曲げた状態で上記スリット部に挿入できるように構成されると共に、上記スリット部に挿入された状態で上記ロック片部が確実に係止しうるように、上記スリット部に挿入後に上記ロック片部は折り曲げ前の状態に材料弾性により復元しうるように構成されている。
【００１２】
また、本考案に係る上記包装梱包箱にあっては、上記折込蓋片部は、一方端部が上記外方蓋片部と内方蓋片部とが設けられている側面部以外の互いに対向する一対の側面部の端部に連設されると共に、他方端部が上記外方蓋片部の幅方向の両端部に連設され、上記折込蓋片部には、上記外方蓋片部が上記内方蓋片部の外方側に折り重ねられた場合には、上記内方蓋片部の内方に配置されると共に内方蓋片部と係合しうるように折りたたまれうる折曲線が設けられていることを特徴とする。
【００１３】
すなわち、本考案に係る上記包装梱包箱は、上記折込蓋片部と上記側面部との間、及び上記折込蓋片部と上記外方蓋片部との間に、それぞれ隙が生じないように、上記折込蓋片部は一方端部が上記側面部の端部に連設されると共に、他方端部は上記外方蓋片部の端部に連設されている。また、上記折込蓋片部には、内方へ折りたたみ可能とするために上記折曲線が設けられている。
【００１４】
上記内方蓋片部は、上記折込蓋片部が折りたたまれた場合に、上記折込蓋片部と外方蓋片部との間に形成される間隙部に挿入配置された状態で上記開口部を封止することを特徴とする。
従って、上記開口部は、折込蓋片部、内方蓋片部及び外方蓋片部が、夫々、重なる状態で封止されることとなる。
また、本考案に係る上記包装梱包箱にあっては、上記内方蓋片部は、上記包装梱包箱本体の厚さ寸法よりも僅かに短い幅寸法に形成されると共に、上記包装梱包箱本体の幅寸法よりも僅かに短い長さ寸法に形成されると共に、上記外方蓋片部は上記包装梱包箱本体の厚さ寸法と略同一の幅寸法に形成されると共に、上記包装梱包箱本体の幅寸法と同一の長さ寸法に形成され、上記折込蓋片部は、上記折曲線を介して包装梱包箱内方へ折りたたまれるように構成されていることを特徴とする。
【００１５】
すなわち、本考案に係る上記包装梱包箱は、上記内方蓋片部の外方に上記外方蓋片部を折り重ねた場合に、上記内方蓋片部の端部に外方蓋片部の端部が重なって外方へ膨出することにより端部に隙が生じることのないように、上記内方蓋片部と上記外方蓋片部の幅寸法と長さ寸法が設定されている。
また、上記折込蓋片部が外方へ露出して隙が生じないように、上記折込蓋片部は上記折曲線により内方へ折りたたまれうるように形成されている。
【００１６】
また、本考案に係る上記包装梱包箱にあっては、上記内方蓋片部、外方蓋片部及び折込蓋片部は、包装梱包箱本体の長さ方向両端部に形成される二つの開口部に夫々設けられていることを特徴とする。
【００１７】
すなわち、本考案に係る上記包装梱包箱は、包装梱包箱本体に設けられている二箇所の開口部をそれぞれ上記蓋部で閉じて封止できるように、夫々の開口部に、上記内方蓋片部、外方蓋片部及び上記折込蓋片部が設けられている。
【００１８】
また、本考案に係る上記包装梱包箱にあっては、上記包装梱包箱本体は、内部に食品が収納されることを特徴とする。
【００１９】
すなわち、本考案に係る上記包装梱包箱は、食品を収納した場合に、異物が混入されるのを防止して、食品の安全性を確保するために適した構造に形成されている。
【考案の効果】
【００２０】
請求項１記載の本考案に係る包装梱包箱は、包装梱包箱本体の内部に収納物を収納して開口部を蓋部により閉じて封止する包装梱包箱であって、上記蓋部として、上記開口部の開口縁部に、内方へ折り曲げ可能な内方蓋片部と、上記内方蓋片部に対向して設けられ、上記内方蓋片部の外方に折り重ねて配置しうる外方蓋片部とが設けられると共に、上記開口縁部の上記内方蓋片部と外方蓋片部との間には、内方へ折り込み可能な折込蓋片部が一対に互いに対向して設けられ、上記外方蓋片部には上記内方蓋片部の外方側に折り重ねられた場合には、上記内方蓋片部に係止することにより上記内方蓋片部と上記外方蓋片部とを固定しうるロック片部が設けられていることから、
上記開口部の蓋部を閉じて封止する場合に、上記折込蓋片部を内方へ折り込み、さらに上記内部蓋片部を内方へ折り曲げてから、上記外部蓋片部を上記内部蓋片部の外側に折り重ねた状態で、上記ロック片部を上記内部蓋片部に係止させればよいので、従来のように糊や両面接着テープを使用する必要がなく、容易に開封することができない包装梱包箱を簡易に形成することができる。
したがって、糊を使用した場合のように、その糊が滲み出すことにより外観品質が低下する不具合がなくなると共に、両面接着テープを使用した場合のように、剥がした剥離紙が内部に紛れ込んだか、否かをチェックするための煩雑な作業等が不要になる。
【００２１】
請求項２記載の本考案に係る包装梱包箱は、上記包装梱包箱本体は直方体に形成され、上面部、底面部及び側面部を有し、上記内方蓋片部と上記外方蓋片部は夫々上記上面部と上記底面部に形成される開口部の端部に幅方向に沿って連設され、上記内方蓋片部の基端部にはスリット部が設けられると共に上記外方蓋片部には上記スリット部に差し込み可能な連結片部が設けられ、上記ロック片部は、上記連結片部の両端に折曲線を介し折り曲げた状態で上記スリット部に挿入可能に形成されると共に、上記スリット部に挿入した際には折り曲げ前の状態に復元して上記スリット部の両端縁部に係合しうるように形成されていることから、
上記開口部の蓋部を閉じて封止する場合、上記ロック片部を折り曲げた状態で上記連結片部を上記スリット部に挿入すれば、上記ロック片部が自動的に復元して上記スリット部の両端縁部に係合するので、蓋部を閉じて封止する作業が容易である。
また、上記内部蓋片部と上記外部蓋片部との封止状態が上記ロック片部によりロックされるので、上記内部蓋片部と上記外部蓋片部とが安易に開くことがなく、第三者が、包装梱包箱本体を破壊することなく、上記ロック状態を解消して蓋部を開き、異物を内部に混入した後で、再び封止する、いわゆる「改ざん行為」を行うことが困難となり、故意に異物を混入させる事態を有効に防止することができる。
【００２２】
請求項３記載の本考案に係る包装梱包箱は、上記折込蓋片部は、一方端部が上記外方蓋片部と内方蓋片部とが設けられている側面部以外の互いに対向する一対の側面部の端部に連設されると共に、他方端部が上記外方蓋片部の幅方向の両端部に連設され、上記折込蓋片部には、上記外方蓋片部が上記内方蓋片部の外方側に折り重ねられた場合には、上記内方蓋片部と外方蓋片部との間に介在しうるように折りたたまれうる折曲線が設けられていることから、
上記折込蓋片部は、上記側面部の端部と上記外方蓋片部の端部とを連続させて隙間を埋めることができるので、外部からの異物混入を有効に防止することができる。
また、上記折込蓋片部を折り込むことにより、上記内部蓋片部の両端部を、当該折込蓋片部と上記外部蓋片部との間に差し込むことができ、これにより上記内部蓋片部が締め付けられるので、上記内部蓋片部が緩んで隙間が生じるのを防止することができる。
【００２３】
請求項４記載の本考案に係る包装梱包箱は、上記内方蓋片部は、上記包装梱包箱本体の厚さ寸法よりも僅かに短い幅寸法に形成されると共に、上記包装梱包箱本体の幅寸法よりも僅かに短い長さ寸法に形成されると共に、上記外方蓋片部は上記包装梱包箱本体の厚さ寸法と略同一の幅寸法に形成されると共に、上記包装梱包箱本体の幅寸法と同一の長さ寸法に形成され、上記折込蓋片部は、上記折曲線を介して包装梱包箱内方へ折りたたまれるように構成されていることから、
上記内方蓋片部の外方へ上記外方蓋片部が折り重ねられた状態で、上記外方蓋片部の端部に隙が生じるのを防ぎ、密閉性を向上させることができる。
また、上記折込蓋片部が内方へ折り込まれることにより、さらに密閉性が向上し、封止状態が確実かつ安定する。したがって、隙間から異物を混入される危険性も低下する。
【００２４】
請求項５記載の本考案に係る包装梱包箱は、上記内方蓋片部、外方蓋片部及び折込蓋片部は、包装梱包箱本体の長さ方向両端部に形成される二つの開口部に夫々設けられていることから、
一方の開口部のみでなく、すべての開口部が蓋部を閉じて封止され、かつその封止状態の解消が困難化するので、蓋部が開かれて内部に異物が混入される可能性をより低下させることができる。
【００２５】
請求項６記載の本考案に係る包装梱包箱は、上記包装梱包箱本体は、内部に食品が収納されることから、上記ロック片部の係止状態を解除して上記外方蓋片部、内方蓋片部及び折込蓋片部を開いて内部の食品に毒物等を混入した後、元通りに蓋部を封止して改ざんすることが不可能となるので、収納された食品の安全性が確保される。
【考案を実施するための最良の形態】
【００２６】
以下、図面を用いて本考案の実施の形態について説明する。
本実施の形態に係る包装梱包箱１０は、包装梱包箱本体１１の内部に収納物を収納して開口部６４，６５を蓋部６６，６７により閉じて封止する包装梱包箱１０であって、図１に示すように、上記蓋部６６，６７として、上記開口部６４，６５の開口縁部に、内方へ折り曲げ可能な内方蓋片部２４，２５と、上記内方蓋片部２４，２５に対向して設けられ、上記内方蓋片部２４，２５の外方に折り重ねて配置しうる外方蓋片部３０，３１とが設けられると共に、上記開口縁部の上記内方蓋片部２４，２５と外方蓋片部３０，３１との間には、内方へ折り込み可能な折込蓋片部４４，４５，４６，４７が一対に互いに対向して設けられ、上記外方蓋片部３０，３１には上記内方蓋片部２４，２５の外方側に折り重ねられた場合には、図４に示すように、上記内方蓋片部２４，２５に係止することにより上記内方蓋片部２４，２５と上記外方蓋片部３０，３１とを固定しうるロック片部４０，４１，４２，４３が設けられている。
また、上記包装梱包箱本体１１は、図５に示すように、直方体に形成され、上面部６２、底面部６３及び側面部１３，１９，２０，２１を有し、図１に示すように、上記内方蓋片部２４，２５と上記外方蓋片部３０，３１は夫々上記上面部６２と上記底面部６３に形成される開口部６４，６５の端部に幅方向に沿って連設され、上記内方蓋片部２４，２５の基端部にはスリット部２６，２７が設けられると共に上記外方蓋片部３０，３１には上記スリット部２６，２７に差し込み可能な連結片部３４，３５が設けられ、上記ロック片部４０，４１，４２，４３は、図４に示すように、上記連結片部３４，３５の両端に折曲線３６，３７，３８，３９を介し折り曲げた状態で上記スリット部２６，２７に挿入可能に形成されると共に、上記スリット部２６，２７に挿入した際には折り曲げ前の状態に復元して上記スリット部２６，２７の両端縁部に係合しうるように形成されている。
また、上記折込蓋片部４４，４５，４６，４７は、図１に示すように、一方端部が上記外方蓋片部３０，３１と内方蓋片部２４，２５とが設けられている側面部１３，２０以外の互いに対向する一対の側面部１９，２１の端部に連設されると共に、他方端部が上記外方蓋片部３０，３１の幅方向の両端部に連設され、上記折込蓋片部４４，４５，４６，４７には、図２に示すように、上記外方蓋片部３０，３１が上記内方蓋片部２４，２５の外方側に折り重ねられた場合には、上記内方蓋片部２４，２５と外方蓋片部３０，３１との間に介在しうるように折りたたまれうる折曲線５６，５７，５８，５９が設けられている。
また、上記内方蓋片部２４，２５は、上記包装梱包箱本体１１の厚さ寸法よりも僅かに短い幅寸法に形成されると共に、上記包装梱包箱本体１１の幅寸法よりも僅かに短い長さ寸法に形成されると共に、上記外方蓋片部３０，３１は上記包装梱包箱本体１１の厚さ寸法と略同一の幅寸法に形成されると共に、上記包装梱包箱本体１１の幅寸法と同一の長さ寸法に形成され、上記折込蓋片部４４，４５，４６，４７は、上記折曲線５６．５７．５８．５９を介して包装梱包箱内方へ折りたたまれるように構成されている。
また、図２に示すように、上記内方蓋片部２４，２５、外方蓋片部３０，３１及び折込蓋片部４４，４５，４６，４７は、包装梱包箱本体１１の長さ方向両端部に形成される二つの開口部６４，６５に夫々設けられている。
また、上記包装梱包箱本体１１は、内部に食品が収納されるように形成されている。
【実施例１】
【００２７】
図は実施例に係る包装梱包箱１０を示したものである。
本実施例に係る包装梱包箱１０は、厚紙１２が図６に示す形状に裁断され、その切断された厚紙１２が図１〜図５に示すように組み立てられて、包装梱包箱本体１１が形成されるものである。
【００２８】
図６に示した包装梱包箱本体１１の展開状態において、方形の前方側面部１３の幅方向の一方端部には折曲線１４を介し連結片部１５が連設され、幅方向の他方端部には折曲線１６，１７，１８を介し、順次、左方側面部１９、後方側面部２０及び右方側面部２１が連設されている。
また、上記前方側面部１３の上方及び下方には夫々、折曲線２２，２３を介し、内方蓋片部２４，２５が連設され、上記内方蓋片部２４，２５には上記折曲線２２，２３に添ってスリット部２６，２７が設けられている。
また、上記後方側面部２０の上方及び下方には夫々、折曲線２８，２９を介し、外方蓋片部３０，３１が連設され、上記外方蓋片部３０，３１のさらに外方には夫々、折曲線３２，３３を介し連結片部３４，３５が連設されている。
また、上記連結片部３４，３５の長さ方向両端部には夫々、折曲線３６，３７，３８，３９を介しロック片部４０，４１，４２，４３が連設されている。
また、上記後方側面部２０の四隅の角部外方には夫々、折込蓋片部４４，４５，４６，４７が連設されている。
上記折込蓋片部４４，４５，４６，４７は、二つ折りした場合に三角形になる形状を有し、一方端部が折曲線４８，４９，５０，５１を介し上記外方蓋片部３０，３１の長さ方向両端部に連設され、他方端部が折曲線５２，５３，５４，５５を介し上記左方側面部１９の長さ方向両端部と上記右方側面部２１の長さ方向両端部に連設されている。
また、上記折込蓋片部４４，４５，４６，４７にはそれぞれ、当該折込蓋片部４４，４５，４６，４７を二つ折り可能とする折曲線５６，５７，５８，５９が対角線位置に設けられている。
また、上記連結片部１５と上記前方側面部１３の長さ方向両端近傍には夫々、ミシン目状の切取線６０，６１が設けられている。
【００２９】
上記展開状態の包装梱包箱本体１１は、上記連結片部１５が上記右方側面部２１の外側に重ね合わされて接合されることにより、まず、図１に示す状態に組み立てられる。
上記包装梱包箱本体１１は、組立完成状態で、図５に示すように、直方体になるよう形成されており、上面部６２及び底面部６３を有すると共に、前方、左方、後方及び右方の夫々の側面部１３，１９，２０，２１を有している。
なお、図１に示す状態では、上記包装梱包箱本体１１における上面部６２と底面部６３に相当する二箇所に開口部６４，６５が設けられている。
【００３０】
上記開口部６４，６５の開口縁部には、図１に示すように、内方へ折り曲げ可能な内方蓋片部２４，２５と、上記内方蓋片部２４，２５の外方に折り重ねて配置しうる外方蓋片部３０，３１とが、対向して配置している。
すなわち、上記内方蓋片部２４，２５と上記外方蓋片部３０，３１は夫々、上記上面部６２と上記底面部６３に形成される開口部６４，６５を閉じることができるように、上記前方側面部１３と後方側面部２０の端部に、幅方向に沿って連設されている。
【００３１】
上記内方蓋片部２４，２５は、上記包装梱包箱本体１１の厚さ寸法よりも僅かに短い幅寸法に形成されると共に、上記包装梱包箱本体１１の幅寸法よりも僅かに短い長さ寸法に形成されている。
また、上記外方蓋片部３０，３１は、上記包装梱包箱本体１１の厚さ寸法と略同一の幅寸法に形成されると共に、上記包装梱包箱本体１１の幅寸法と同一の長さ寸法に形成されている。
【００３２】
上記内方蓋片部２４，２５の基端部における幅方向の中央部には、図１に示すように、適宜な長さのスリット部２６，２７が設けられている。
これに対し、上記外方蓋片部３０，３１には、上記内方蓋片部２４，２５の外方側に折り重ねられた場合に、上記スリット部２６，２７に差し込み可能な連結片部３４，３５が設けられている。
【００３３】
図１に示すように、上記連結片部３４，３５の両端には、折り曲げ可能なロック片部４０，４１，４２，４３が設けられている。
上記ロック片部４０，４１，４２，４３は、折り曲げた状態で上記スリット部２６，２７に挿入しうるように形成されている。
また、図４に示すように、上記ロック片部４０，４１，４２，４３は、上記スリット部２６，２７に挿入した際には、紙の有する材料弾性により、折り曲げ前の状態に復元しようとして、上記ロック片部４０，４１，４２，４３は、連結片部３４，３５に対して略直角の状態となり、この状態で上記スリット部２６，２７の両端縁部において内方蓋片部２４、２５と係合することにより、上記内方蓋片部２４，２５と上記外方蓋片部３０，３１とを固定しうるように形成されている。
【００３４】
また、図１に示すように、上記開口部６４，６５の開口縁部において、上記内方蓋片部２４，２５と上記外方蓋片部３０，３１との間には、内方へ折り込み可能な折込蓋片部４４，４５，４６，４７が一対で互いに対向するように配置されている。
【００３５】
上記折込蓋片部４４，４５，４６，４７は、図６に示すように、全体略三角形状であって、一方端部が上記左方側面部１９と右方側面部２１の端部に連設されると共に、他方端部が上記外方蓋片部３０，３１の幅方向の両端部に連設されている。
【００３６】
上記折込蓋片部４４，４５，４６，４７には、図６に示すように、上記外方蓋片部３０，３１が上記内方蓋片部２４，２５の外方側に折り重ねられる際に、内方へ折り込み可能とする折曲線５６，５７，５８，５９が設けられている。
【００３７】
上記内方蓋片部２４，２５、外方蓋片部３０，３１及び折込蓋片部４４，４５，４６，４７により蓋部６６，６７が構成されている。
【００３８】
上記包装梱包箱本体１１には上記開口部６４，６５から内部に食品、例えばレトルト食品等が収納された後、上記開口部６４，６５が閉じられて封止される。
【００３９】
上記蓋部６６，６７を封止する場合は、図２に示すように、まず上記折込蓋片部４４，４５，４６，４７を上記外方蓋片部３０，３１の内方へ、上記折曲線５６，５７，５８，５９を使用して折り込み、次に上記内方蓋片部２４，２５（図面上、折込蓋片部を表すために外方へ折り曲げた状態に記載されている）を内方へ折り曲げて、図３に示すように、上記折込蓋片部４４，４５，４６，４７と上記外方蓋片部３０，３１との間に形成される隙間６８，６９に上記内方蓋片部２４，２５の両端部を差し込み、次に上記外方蓋片部３０，３１を上記内方蓋片部２４，２５の外側へ折り重ね、さらに、上記外方蓋片部３０，３１に設けられた上記連結片部３４，３５の両端に形成された上記ロック片部４０，４１，４２，４３を、図４に示すように折り曲げた状態にして、上記連結片部３４，３５を上記内方蓋片部２４，２５に設けられた上記スリット部２６，２７に挿入し、上記スリット部２６，２７の内側で上記連結片部３４，３５のロック片部４０，４１，４２，４３を材料弾性により自律的に復元させて、上記連結片部３４，３５に対して略直角の状態にし、上記ロック片部４０，４１，４２，４３を上記スリット部２６，２７の両端縁部において内方蓋片部２４，２５に対して係止させる。
これにより、図５に示すように、上記包装梱包箱１１は内部に食品を収納して開口部６４，６５を閉じ、封止した状態となる。
【００４０】
上記開口部６４，６５が封止された上記包装梱包箱本体１１から収納物を取り出す場合は、上記接合面部１５と上記前方側面部１３とに設けられた上記切取線６０，６１を切り離して上記前方側面部１３に切開部を形成し、同切開部から収納物を取り出せばよい。
【００４１】
以下に、上記実施例の作用について説明する。
上記包装梱包箱本体１１の上記開口部６４，６５の一方を閉じた状態で、他方の開いた開口部６４，６５から包装梱包箱本体１１の内部に食品を収納する。
その後、上記開口部６４，６５を上記蓋部６６，６７により閉じて封止するが、その封止作業は上記のとおり以下の手順で行う。
【００４２】
まず、上記折込蓋片部４４，４５，４６，４７を上記折曲線５６，５７，５８，５９を使用して上記外方蓋片部３０，３１の内方へ折り込む。
次に、上記内方蓋片部２４，２５を内方へ折り曲げて、上記折込蓋片部４４，４５，４６，４７と上記外方蓋片部３０，３１との間に形成される上記隙間６８，６９に上記内方蓋片部２４，２５の両端部を差し込む。
【００４３】
その後、上記外方蓋片部３０，３１を上記内方蓋片部２４，２５の外方へ重ね合わせ、上記外方蓋片部３０，３１に設けられた上記ロック片部４０，４１，４２，４３を折り曲げた状態で、上記連結片部３４，３５を上記内方蓋片部２４，２５に設けられた上記スリット部２６，２７に挿入する。
上記スリット部２６，２７に挿入された上記ロック片部４０，４１，４２，４３は上記スリット部２６，２７の内側で、元の折りたたまれる前の状態に紙の材料弾性により、連結片部３４，３５に対して略直角の状態に至るまで復元するので、上記ロック片部４０，４１，４２，４３は上記スリット部２６，２７の両端縁部において、上記内方蓋片部２４，２５に対して係合する。これにより上記蓋部６６，６７による上記開口部６４，６５の封止作業が完了する。
【００４４】
上記包装梱包箱本体１１の開口部６４，６５が上記蓋部６６，６７により閉じられ、封止された状態では、上記スリット部２６，２７の内側に係止した状態の上記ロック片部４０，４１，４２，４３が内方蓋片部２４，２５に係合していることから、上記連結片部３４，３５を上記スリット部２６，２７から抜き取ることは、外方蓋片部３０，３１及び内方蓋片部２４，２５又は箱本体１１そのものを破壊しない限り不可能である。
したがって、上記包装梱包箱本体１１を破ることなく、上記ロック片部４０，４１，４２，４３の係止状態を解消することは事実上無理である。
これにより、上記蓋部６６，６７を開いて、内部に毒物等の収納物以外の異物を挿入した後に、再び、蓋部６６，６７を封止し、外観上は異物混入の痕跡を残さない、いわゆる「改ざん行為」を有効に防止することができる。
【００４５】
また、上記外方蓋片部３０，３１の内方には上記折込蓋片部４４，４５，４６，４７が折り込まれ、上記折込蓋片部４４，４５，４６，４７と上記外方蓋片部３０，３１との間に形成される隙間６８，６９に上記内方蓋片部２４，２５が差し込まれることから、上記内方蓋片部２４，２５の両端部が固定され安定する。したがって、上記内方蓋片部２４，２５が弛緩して隙間が生じるようなこともない。
また、上記折込蓋片部４４，４５，４６，４７は一方端部が上記左方と右方の側面部１９，２１の端部に連設されると共に、他方端部が上記外方蓋片部３０，３１の端部に連設されていることから、上記側面部１９，２１と上記外方蓋片部３０，３１との間に隙間が生じることもない。
したがって、隙間から包装梱包箱本体１１の内部に異物が混入されることも防止することができる。
また、上記のように、上記外方蓋片部３０，３１の内方には上記折込蓋片部４４，４５，４６，４７が折り込まれ、上記折込蓋片部４４，４５，４６，４７と上記外方蓋片部３０，３１との間に形成される隙間６８，６９に上記内方蓋片部２４，２５が差し込まれることから、収納された食品の包装が何らかの原因で破れたような場合であっても、開口部は内方蓋片部２４，２５及び外方蓋片部３０，３１折込蓋片部４４，４５，４６，４７を介して密接に当接した状態で封止されることから、可能な限り、内容物の漏れ出しを防止することが可能となると共に、上記包装梱包箱本体１１の内部に収納された食品は保護され、安全性が維持される。
なお、本実施の形態における切取線６０，６１の具体的形状に関しては、本実施の形態に限定されず、切取線に沿って開放した場合に内容物を取り出しうる形状であればよい。
【産業上の利用可能性】
【００４６】
本考案は食品等を収納する包装梱包箱に適用可能である。
【図面の簡単な説明】
【００４７】
【図１】本考案の実施例に係る包装梱包箱の蓋部を閉じる前の状態を示す斜視図である。。
【図２】本考案の実施例に係る包装梱包箱の折込蓋片部を内方へ折り込んだ状態の斜視図である。
【図３】本考案の実施例に係る包装梱包箱の内方蓋片部と外方蓋片部と折込蓋片部の組付状態を示す断面図である。
【図４】本考案の実施例に係る包装梱包箱のロック片部をスリット部に挿入して係止する状態を示す平面図である。
【図５】本考案の実施例に係る包装梱包箱の組立完成状態の斜視図である。
【図６】本考案の実施例に係る包装梱包箱の展開状態を示す平面図である。
【符号の説明】
【００４８】
１０  包装梱包箱
１１  包装梱包箱本体
１２  厚紙
１３  前方側面部
１４  折曲線
１５  接合面部
１６  折曲線
１７  折曲線
１８  折曲線
１９  左方側面部
２０  後方側面部
２１  右方側面部
２２  折曲線
２３  折曲線
２４  内方蓋片部
２５  内方蓋片部
２６  スリット部
２７  スリット部
２８  折曲線
２９  折曲線
３０  外方蓋片部
３１  外方蓋片部
３２  折曲線
３３  折曲線
３４  連結片部
３５  連結片部
３６  折曲線
３７  折曲線
３８  折曲線
３９  折曲線
４０  ロック片部
４１  ロック片部
４２  ロック片部
４３  ロック片部
４４  折込蓋片部
４５  折込蓋片部
４６  折込蓋片部
４７  折込蓋片部
４８  折曲線
４９  折曲線
５０  折曲線
５１  折曲線
５２  折曲線
５３  折曲線
５４  折曲線
５５  折曲線
５６  折曲線
５７  折曲線
５８  折曲線
５９  折曲線
６０  切取線
６１  切取線
６２  上面部
６３  底面部
６４  開口部
６５  開口部
６６  蓋部
６７  蓋部
６８  隙間
６９  隙間
【図１】
0003131342.tif 000003
【図２】
0003131342.tif 000004
【図３】
0003131342.tif 000005
【図４】
0003131342.tif 000006
【図５】
0003131342.tif 000007
【図６】
0003131342.tif 000008